(57)【要約】【課題】  運転訓練用シミュレータ装置で実プラントの挙動を再現できるようにする。【解決手段】  訓練運用操作が入力されるシミュレーション運用制御部１、プラント状態を模擬するシミュレーション処理部６、模擬プラント状態を出力するプラント操作出力処理部９、模擬プラント状態を監視し対応操作をするオペレータコンソール３及び操作盤４、対応操作をシミュレーション処理部６に入力するプラント操作入力処理部８、模擬プラント状態の変化を検出するプラント状態変化検出部１０、実プラントのプラント時系列データがプラント時系列データ入力部１１から入力され、入力データを運転訓練用シミュレータ装置が認識することができるデータ形式に変換するデータ変換部１２を備え、模擬プラント状態とデータ変換部１２で変換されたプラント時系列データとを選択的にプラント操作出力処理部９を介してオペレータコンソール３及び操作盤４に出力する。【選択図】        図１
2006349990.tif 000002
【特許請求の範囲】
【請求項１】
訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記模擬されたプラント状態と上記データ変換部で変換されたプラント時系列データとを選択的に上記プラント操作出力処理部が上記オペレータコンソール及び操作盤に出力することを特徴とする運転訓練用シミュレータ。
【請求項２】
上記シミュレーション処理部のシミュレーション結果と上記データ変換部が出力した時系列データとを比較し、上記比較した結果を出力するシミュレーション結果検証部を備えたことを特徴とする請求項１記載の運転訓練用シミュレータ装置。
【請求項３】
上記シミュレーション処理部のシミュレーション結果と上記データ変換部が出力した時系列データとを比較するシミュレーション結果検証部と、上記シミュレーション結果検証部が比較した上記シミュレーション結果検証部の比較結果と上記データ変換部が出力した時系列データとを重ね合わせて表示するトレンドグラフ機能をもつデータ重ね合わせ処理部とを備えたことを特徴とする請求項１記載の運転訓練用シミュレータ装置。
【請求項４】
訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記データ変換部で変換されたプラント時系列データにおける運転員が操作したオペレーションログに基づき上記シミュレーション処理部におけるシミュレーション演算を実行して上記実プラントの事象を再現し、上記再現結果を上記プラント操作出力処理部が上記オペレータコンソール及び操作盤に出力し、上記シミュレーション処理部は上記プラント操作入力処理部からの入力を検出した時点で上記実プラントの事象の再現から上記プラント操作入力処理部からの入力に基づくシミュレーションに切り換えて上記オペレーションログは継続して利用し、上記訓練員による訓練のための対応操作に基づく上記シミュレーション演算を実行して上記シミュレーション演算の結果を上記プラント操作出力処理部が上記オペレータコンソール及び操作盤に出力することを特徴とする運転訓練用シミュレータ。
【発明の詳細な説明】
【技術分野】
【０００１】
この発明は、プラントの運転員を訓練する運転訓練用シミュレータ装置に関するものであり、実際のプラントで発生した挙動を体験できるようにしたものである。
【背景技術】
【０００２】
従来の運転訓練用シミュレータ装置は、指導員がプラントの状態設定、シミュレーションの開始・終了・速度変更、事故訓練のための事故模擬の発生・停止など訓練運用操作を行うインストラクタコンソール、指導員の訓練運用操作を受けるシミュレーション運用制御部、プラント状態を模擬するシミュレーション処理部、模擬されたプラント状態を出力するプラント操作出力処理部、訓練員がプラント操作出力処理部から出力された模擬されたプラント状態を監視し対応操作することにより訓練を行うオペレータコンソール及び操作盤、訓練員の対応操作を受けるプラント操作入力処理部、プラント状態の変化を検出するプラント状態変化検出部、指導員が入力した訓練運用操作及びプラント状態変化検出部が出力するプラント状態変化情報を記録するインストラクタタイプライタ、プラント状態変化検出部が出力するプラント状態変化情報を記録するオペレータタイプライタを備えている。
【０００３】
上記従来の運転訓練用シミュレータ装置における動作を説明する。インストラクタコンソールから指導員が訓練運用操作を行い、訓練運用操作をシミュレーション運用制御部が受ける。シミュレーション運用制御部はプラント状態を模擬するシミュレーション処理部にシミュレーションの開始・終了・速度変更、事故模擬の開始・終了などの制御指令を出す。シミュレーション運用制御部の制御指令によりシミュレーションが開始状態となるとシミュレーション処理部でプラント状態が模擬される。模擬されたプラント状態はプラント操作出力処理部から訓練員が監視するオペレータコンソール及び操作盤、並びに指導員が監視するインストラクタコンソールに出力される。訓練員はオペレータコンソール及び操作盤で対応操作を行い、シミュレーション処理部は訓練員のプラント運転操作を受け、訓練員の対応操作に従ったプラント状態を模擬する。模擬プラントのプラント状態に変化が起こると、プラント状態変化検出部でプラント状態の変化が検出され、オペレータタイプライタ及びインストラクタタイプライタにプラント状態変化の情報が印字される。また、インストラクタコンソールから指導員が入力した訓練運用操作もシミュレーション運用制御部を通してインストラクタタイプライタに印字される。（例えば、特許文献１）
【０００４】
【特許文献１】特開平１０−３１４０８号公報（第７−８頁、図１−５）
【発明の開示】
【発明が解決しようとする課題】
【０００５】
以上のように、上記特許文献１に開示されたように構成された運転訓練用シミュレータ装置では、訓練員は模擬した事故の対応操作を訓練することはできるが、プラントで実際に発生した事故の挙動を運転訓練用シミュレータ装置を介して体験し訓練することはできないという問題がある。
【０００６】
また、指導員は、事故の模擬設定などの訓練運用操作をインストラクタコンソールから手入力しており、実際のプラント運転時に発生する事故や、通常の起動・停止操作時等の状態を忠実に、効率よく設定するには経験や時間を要するものであるという問題がある。
【０００７】
また、運転訓練用シミュレータ装置におけるシミュレーション結果の妥当性を検証することは容易ではなく、オペレータタイプライタ及びインストラクタタイプライタによる各種データの印字結果をもとにして比較・検証を行うための多大な時間を必要とし、また、シミュレーションモデルの完成度によってはそのモデル自体が実プラントと異なる動作をする場合があるという問題がある。
【０００８】
また、事故時対応などの各種訓練において、プラント運転時の時系列データと訓練結果との比較を視覚的に認識することができないという問題がある。
【０００９】
この発明は、上記のような問題を解決するためになされたものであり、実プラントの時系列のプロセスデータやオペレーションログデータを保存し、運転訓練用シミュレータ装置が認識できるデータに変換して使用することで事故時の挙動を再現することができるようにすることを目的とする。
【００１０】
また、実プラントでの挙動に介入した操作・訓練ができる運転訓練用シミュレータ装置を得ることを目的とする。
【００１１】
また、シミュレーションモデルの動作検証を効率よく実施することができるようにすることを目的とする。
【００１２】
また、事故時対応などの各種訓練において、プラント運転時の時系列データと訓練結果との比較を視覚的に認識することができるようにすることを目的とする。
【課題を解決するための手段】
【００１３】
この発明に係る運転訓練用シミュレータは、訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記模擬されたプラント状態と上記データ変換部で変換されたプラント時系列データとを選択的に上記プラント操作出力処理部が上記オペレータコンソール及び操作盤に出力するものである。
【００１４】
また、訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記データ変換部で変換されたプラント時系列データにおける運転員が操作したオペレーションログに基づき上記シミュレーション処理部におけるシミュレーション演算を実行して上記実プラントの事象を再現し、上記再現結果を上記プラント操作出力処理部が上記オペレータコンソール及び操作盤に出力し、上記シミュレーション処理部は上記プラント操作入力処理部からの入力を検出した時点で上記実プラントの事象の再現から上記プラント操作入力処理部からの入力に基づくシミュレーションに切り換えて上記オペレーションログは継続して利用し、上記訓練員による訓練のための対応操作に基づく上記シミュレーション演算を実行して上記シミュレーション演算の結果を上記プラント操作出力処理部が上記オペレータコンソール及び操作盤に出力するものである。
【発明の効果】
【００１５】
この発明に係る運転訓練用シミュレータによれば、訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記模擬されたプラント状態と上記データ変換部で変換されたプラント時系列データとを選択的に上記プラント操作出力処理部が上記オペレータコンソール及び操作盤に出力するものであるので、実プラントにおける事故時などのプラント時系列データに基づいたデータやメータ類の動作をオペレータコンソール及び操作盤に表示することができるようになり、実プラントの事故時等の挙動を運転訓練用シミュレータで視覚的に再現することができる。
【００１６】
また、訓練のための諸条件を設定するための訓練運用操作が入力されるシミュレーション運用制御部、プラント状態を模擬してシミュレーション演算を行うシミュレーション処理部、模擬されたプラント状態を出力するプラント操作出力処理部、訓練員が上記プラント操作出力処理部から出力された模擬されたプラント状態を監視し訓練のための対応操作を実行するためのオペレータコンソール及び操作盤、上記対応操作を受け上記シミュレーション処理部に対して上記対応操作を入力するプラント操作入力処理部、模擬されたプラント状態の変化を検出するプラント状態変化検出部を備えた運転訓練用シミュレータ装置において、
実プラント監視システムが蓄積したプラント時系列データが入力されるプラント時系列データ入力部、上記プラント時系列データ入力部が出力するプラント時系列データを上記運転訓練用シミュレータ装置が認識することができるデータ形式に変換し出力するデータ変換部を備え、
上記データ変換部で変換されたプラント時系列データにおける運転員が操作したオペレーションログに基づき上記シミュレーション処理部におけるシミュレーション演算を実行して上記実プラントの事象を再現し、上記再現結果を上記プラント操作出力処理部が上記オペレータコンソール及び操作盤に出力し、上記シミュレーション処理部は上記プラント操作入力処理部からの入力を検出した時点で上記実プラントの事象の再現から上記プラント操作入力処理部からの入力に基づくシミュレーションに切り換えて上記オペレーションログは継続して利用し、上記訓練員による訓練のための対応操作に基づく上記シミュレーション演算を実行して上記シミュレーション演算の結果を上記プラント操作出力処理部が上記オペレータコンソール及び操作盤に出力するものであるので、実プラントのプラント監視装置で保存したプラント時系列データのオペレーションログを用いて実プラント挙動を再現している中で任意のタイミングで運転訓練の操作を実行することができるようになり、実プラントの挙動再現の途中から引き継いで訓練を実施するので、より実プラントでの操作に近い状態での運転訓練を行うことができ、訓練効果を上げることができるようになる。
【発明を実施するための最良の形態】
【００１７】
実施の形態１．
図１は、この発明に係る運転訓練用シミュレータ装置の実施の形態１を示すブロック図であり、
図２は、この実施の形態１の運転訓練用シミュレータ装置の動作を説明するフローチャートである。図１及び図２に基づき、この実施の形態１を説明する。
【００１８】
図１に示したように、この実施の形態１の運転訓練用シミュレータ装置は、指導員が訓練員を訓練する諸条件を設定する訓練運用操作（プラントの状態設定、シミュレーションの開始・終了・速度変更、事故訓練のための事故模擬の発生・停止など）を行うインストラクタコンソール１、指導員の訓練運用操作が入力されるシミュレーション運用制御部７、シミュレーション運用制御部７の訓練運用操作が入力されてプラント状態を模擬するシミュレーション処理部６、シミュレーション処理部６で模擬されたプラント状態を出力するプラント操作出力処理部９、訓練員がプラント操作出力処理部９から出力された模擬されたプラント状態を監視し対応操作することにより訓練を行うオペレータコンソール３及び操作盤４、訓練員の対応操作を受けるプラント操作入力処理部８、模擬されたプラント状態の変化を検出するプラント状態変化検出部１０、指導員が入力した訓練運用操作及びプラント状態変化検出部１０が出力するプラント状態の変化情報を記録するインストラクタタイプライタ２、プラント状態変化検出部１０が出力するプラント状態の変化情報を記録するオペレータタイプライタ５を備え、さらに、実プラント監視システムが蓄積したプラント時系列データを取り込むプラント時系列データ入力部１１と、プラント時系列データ入力部１１が出力するプラント時系列データを取り込み、運転訓練用シミュレータ装置が認識することができるデータ形式に変換し出力するデータ変換部１２とを備えている。
【００１９】
この実施の形態１では、プラント時系列データ入力部１１と、データ変換部１２とを設け、運転訓練のメニューに「通常のシミュレーション」に対して「事故時プラント挙動確認モード」を加えることにより、プラント時系列データをもとに実プラントにおける事故時等の挙動をオペレータコンソール３及び操作盤４に出力できるようにしたものである。
【００２０】
この実施の形態１の運転訓練用シミュレータ装置では、「通常のシミュレーション」として、インストラクタコンソール１から指導員が訓練運用操作の入力を行い、訓練運用操作をシミュレーション運用制御部７が受け取る。シミュレーション運用制御部７はプラント状態を模擬するシミュレーション処理部６にシミュレーションの開始・終了・速度変更、事故模擬の開始・終了などの制御指令を出す。制御指令によりシミュレーションが開始状態となるとシミュレーション処理部６でプラント状態が模擬される。模擬されたプラント状態はプラント操作出力処理部９に取り込まれ訓練員が監視するオペレータコンソール３及び操作盤４、並びに指導員が監視するインストラクタコンソール１に出力される。訓練員はオペレータコンソール３及び操作盤４で運転の対応操作を行い、シミュレーション処理部６は訓練員のプラント運転操作を受け、訓練員の対応操作に従ったプラント状態を模擬する。模擬プラントのプラント状態に変化が起こると、プラント状態変化検出部１０で検出され、オペレータタイプライタ５及びインストラクタタイプライタ２にプラント状態の変化情報が印字される。また、インストラクタコンソール１から指導員が入力した訓練運用操作もシミュレーション運用制御部７を通してインストラクタタイプライタ２に印字される。
【００２１】
運転訓練のメニューが「事故時プラント挙動確認モード」の場合には、実プラント監視システムが蓄積したプラント時系列データをプラント時系列データ入力部１１が取り込みデータ変換部１２に出力する。データ変換部１２は、プラント時系列データを運転訓練用シミュレータが認識できる形式のデータに変換した後、プラント操作出力処理部９を介してオペレータコンソール３と操作盤４に出力し、オペレータコンソール３と操作盤４にプラント時系列データにおけるプロセスデータやメータ類の表示が行われる。
【００２２】
図２に示したように、ステップ２Ｂで、インストラクタコンソール１は訓練メニューが「事故時プラント挙動確認モード」かそうでないかを判断する。「事故時プラント挙動確認モード」が選択されておれば、ステップ２Ｃでプラント監視システムが蓄積したプラント時系列データをプラント時系列データ入力部１１が取り込み、データ変換部１２に出力し、データ変換部１２はステップ２Ｄで運転訓練用シミュレータが認識できる形式のデータに変換する。ステップ２Ｅで、データ変換部１２は変換したプラント時系列データをプラント操作出力処理部９及びプラント状態変化検出部１０に出力し、ステップ２Ｆで、プラント操作出力処理部９はオペレータコンソール３及び操作盤４並びにインストラクタコンソール１に変換したプラント時系列データ出力し、また、ステップ２Ｇで、プラント状態変化検出部１０は、オペレータタイプライタ５及びインストラクタタイプライタ２に出力する。なお、ステップ２Ｂで訓練メニューを判断した結果、訓練メニューが「事故時プラント挙動確認モード」でない場合は、ステップ２Ｈで「通常のシミュレーション」を行う。
【００２３】
この実施の形態１によれば、実プラントにおける事故時などのプラント時系列データに基づいたデータやメータ類の動作をオペレータコンソール３及び操作盤４に表示することができるようになり、実プラントの事故時等の挙動を運転訓練用シミュレータで視覚的に再現することができる。
【００２４】
実施の形態２．
図３は、この発明に係る運転訓練用シミュレータ装置の実施の形態２を示すブロック図であり、図４は、この実施の形態２の運転訓練用シミュレータ装置の動作を説明するためのフローチャートである。図３及び図４に基づき、この実施の形態２を説明する。
【００２５】
図３に示したように、この実施の形態２は、シミュレーション結果検証部１３を備え、訓練メニューが「シミュレーション結果検証モード」の場合にシミュレーション結果とプラント時系列データとの差異を見ることにより、シミュレーションモデルの動作検証を効率よく実施することができるようにしたものである。
【００２６】
この実施の形態２の運転訓練用シミュレータ装置は、実プラント監視システムが蓄積した時系列データをプラント時系列データ入力部１１が取り込みデータ変換部１２に入力し、データ変換部１２は運転訓練用シミュレータが認識できる形式のデータに変換する。シミュレーション結果検証部１３は、シミュレーション処理部６が演算したシミュレーション結果とデータ変換部１２のプラント時系列データとの比較検証を行い、相違するデータを抽出してインストラクタタイプライタ２に抽出結果を印刷して出力する。
【００２７】
図４に示したように、ステップ４Ｂでは、インストラクタコンソール１は訓練メニューが「シミュレーション結果検証」かどうかを判断する。シミュレーション結果検証モードが選択されておれば、ステップ４Ｃで、プラント監視システムが蓄積したプラント時系列データをプラント時系列データ入力部１１が取り込み、データ変換部１２へ入力し、ステップ４Ｄで、データ変換部１２はプラント時系列データを運転訓練用シミュレータが認識できる形式のデータ形式に変換する。ステップ４Ｅで、データ変換部１２は変換したプラント時系列データをプラント操作出力処理部９、プラント状態変化検出部１０及びシミュレーション結果検証部１３へ出力し、ステップ４Ｆで、プラント操作出力処理部９は変換したプラント時系列データをオペレータコンソール３及び操作盤４に出力するとともに、シミュレーション処理部６は通常のシミュレーション演算を行い、プラント操作出力処理部９、プラント状態変化検出部１０及びシミュレーション結果検証部１３へシミュレーション演算の結果を出力する。ステップ４Ｇで、プラント状態変化検出部１０は、シミュレーション演算の結果をインストラクタタイプライタ２、オペレータタイプライタ５に出力し、その後、ステップ４Ｈで、シミュレーション結果検証部１３はシミュレーション演算の結果とプラント時系列データとを比較し、比較結果をインストラクタタイプライタ２に出力し記録する。なお、ステップ４Ｂで訓練メニューを判断した結果が「シミュレーション結果検証」でない場合は、ステップ４Ｉで通常のシミュレーションを行う。
【００２８】
この実施の形態２によれば、シミュレーションモデルのシミュレーション結果と実プラントのプラント時系列データとの差異を印刷した結果を参照することにより、シミュレーションモデルの動作検証を効率よく実施することができる。
【００２９】
実施の形態３．
図５は、この発明に係る運転訓練用シミュレータ装置の実施の形態３を示すブロック図であり、図６は、この実施の形態３の運転訓練用シミュレータ装置の動作を説明するためのフローチャートである。図５及び図６に基づき、この実施の形態３を説明する。
【００３０】
この実施の形態３は、図５に示したように、上記実施の形態２のシミュレーション結果検証部１３に加えて、データ重ね合わせ処理部１４を備え、実プラントのプラント時系列データと訓練を行った際のシミュレーション演算の結果とを重ね合わせて表示することによりプラント時系列データと訓練を行った際のシミュレーション演算の結果との差異を視覚的に見ることができるようにしたものである。
【００３１】
この実施の形態３の運転訓練用シミュレータ装置は、実プラント監視システムが蓄積した時系列データをプラント時系列データ入力部１１がデータ変換部１２に入力し、データ変換部１２は運転訓練用シミュレータが認識できる形式のデータに変換する。シミュレーション結果検証部１３は、シミュレーション処理部６が演算したシミュレーション結果とデータ変換部１２のプラント時系列データとの比較検証を行い、比較検証された結果をデータ重ね合わせ部１４に入力してトレンドグラフ上に重ね合わせ処理を行い、重ね合わせ処理の結果をインストラクタタイプライタ２及びオペレータコンソール３に出力し表示処理する。
【００３２】
図６に示したように、ステップ６Ｂでは、インストラクタコンソール１は訓練メニューが「シミュレーション結果検証」かどうかを判断する。シミュレーション結果検証モードが選択されておれば、ステップ６Ｃで、プラント監視システムが蓄積したプラント時系列データをデータ変換部１２が取り込みデータ変換部１２に出力する、ステップ６Ｄで、データ変換部１２はプラント時系列データを運転訓練用シミュレータが認識できる形式のデータ形式に変換する。ステップ６Ｅで、データ変換部１２は変換したプラント時系列データをプラント操作出力処理部９、プラント状態変化検出部１０及びシミュレーション結果検証部１３へ出力し、ステップ６Ｆで、プラント操作出力処理部９は、変換したプラント時系列データをオペレータコンソール３及び操作盤４に出力するとともに、シミュレーション処理部６は通常のシミュレーション演算を行い、プラント操作出力処理部９、プラント状態変化検出部１０及びシミュレーション結果検証部１３へシミュレーション演算の結果を出力する。ステップ６Ｇで，プラント状態変化検出部１０は、シミュレーション演算の結果をインストラクタタイプライタ２、オペレータタイプライタ５に出力し、その後、ステップ６Ｈで、シミュレーション結果検証部１３はシミュレーション演算の結果とプラント時系列データとを比較し、比較結果をデータ重ね合わせ部１４に入力してトレンドグラフ上に重ね合わせ処理を行い、重ね合わせ処理の結果をインストラクタコンソール１及びオペレータコンソール３に出力し表示する。なお、ステップ６Ｂで訓練メニューを判断した結果が「シミュレーション結果検証」でない場合は、ステップ６Ｉで通常のシミュレーションを行う。
【００３３】
この実施の形態３によれば、実プラントのプラント時系列データと訓練を行った際のシミュレーションモデルの結果とを重ね合わせて表示することにより、プラント時系列データと訓練を行った際のシミュレーションモデルの結果との差異を視覚的に見ることができる。
【００３４】
実施の形態４．
図７は、この発明に係る運転訓練用シミュレータ装置の実施の形態４を示すブロック図であり、図８は、この実施の形態４の運転訓練用シミュレータ装置の動作を説明するためのフローチャートである。図７及び図８に基づき、この実施の形態４を説明する。
【００３５】
この実施の形態４は、図７に示したように、実プラント監視システムの運転員のオペレーションログをプラント時系列データ入力部１１からデータ変換部１２へ入力し、データ変換部１２でデータ変換を行った結果をシミュレーション処理部６に入力することにより、入力したオペレーションログに基づいてシミュレーション演算を行うようにし、プラント時系列データの挙動再現中に訓練員が操作を実行できるようにした「プラント挙動介入モード」を備えたものである。
【００３６】
この実施の形態４の運転訓練用シミュレータ装置は、実プラント監視システムが蓄積した時系列データをプラント時系列データ入力部１１が取り込み、データ変換部１２に出力し、データ変換部１２はプラント時系列データを運転訓練用シミュレータが認識できる形式のデータに変換する。データ変換部１２は、プラント時系列データから実プラント監視システムの運転員が操作した操作端や操作時刻を記録したオペレーションログを抽出し、上記実施の形態１〜３とは異なり、シミューション処理部６に出力する。シミュレーション処理部６はプラント操作入力処理部８からの入力の代わりにデータ変換部１２から入力されたオペレーションログを採用してシミュレーション演算を行い実プラントの事象を再現する。シミュレーション処理部６はプラント操作入力処理部８からの入力を検出した時点でプラント操作入力処理部８からの入力に基づくシミュレーションに切り換えて、実プラントの事象再現に継続して、訓練員からの入力をもとにシミュレーションを実行する。
【００３７】
図８に示したように、ステップ８Ｂでは、インストラクタコンソール１は訓練メニューが「プラント挙動介入モード」かどうかを判断する。プラント挙動介入モードが選択されておれば、ステップ８Ｃで、プラント監視システムが蓄積したプラント時系列データをプラント時系列データ入力部１１が取り込み、データ変換部１２へ出力し、ステップ８Ｄで、データ変換部１２はプラント時系列データを運転訓練用シミュレータが認識できる形式のデータ形式に変換する。ステップ８Ｅで、データ変換部１２が変換したプラント時系列データからオペレーションログを時系列に抽出してシミュレーション処理部６に出力する。ステップ８Ｆで、プラント操作出力処理部９からの入力があったかどうかを判断し、入力がなく「プラント挙動介入モード」が継続していれば、ステップ８Ｇで、オペレーションログに基づいたシミュレーション演算を行う。ステップ８Ｆで、プラント操作入力処理部８からの入力があった場合（プラント挙動介入モードでない場合）は、オペレータコンソール３及び操作盤４はそれまでのプラント挙動介入モードに基づいたシミュレーション演算から、プラント操作入力処理部８からシミュレーション処理部６への入力によるシミュレーションに切り換えて、ステップ８Ｈで、プラント操作入力処理部８からシミュレーション処理部６への入力によるシミュレーションを行う。ステップ８Ｉで、プラント操作出力処理部９はシミュレーション結果をオペレータコンソール３及び操作盤４に出力し、ステップ８Ｊで、プラント状態変化検出部１０はプラント状態をインストラクタタイプライタ１及びオペレータタイプライタ５に出力する。なお、ステップ８Ｂで訓練メニューを判断した結果が「プラント挙動介入モード」でない場合は、ステップ８Ｋで通常のシミュレーションを行う。
【００３８】
この実施の形態４によれば、実プラントのプラント監視装置で保存したプラント時系列データの運転員によるオペレーションログを用いてプラント挙動を再現している中で任意のタイミングで訓練員が運転訓練の操作を実行することができるようになる。
【００３９】
また、実プラントの挙動再現の途中から継続して訓練を実施するので、より実プラントでの操作に近い状態での運転訓練を行うことができ、訓練効果を上げることができるようになる。
【産業上の利用可能性】
【００４０】
この発明に係る運転訓練用シミュレータ装置は、プラントの運転員を訓練するとともに、実際のプラントで発生した挙動を体験することができるようにしたものである。
【図面の簡単な説明】
【００４１】
【図１】この発明に係る運転訓練用シミュレータ装置の実施の形態１を示すブロック図である。
【図２】実施の形態１の運転訓練用シミュレータ装置の動作を説明するフローチャートである。
【図３】この発明に係る運転訓練用シミュレータ装置の実施の形態２を示すブロック図である。
【図４】実施の形態２の運転訓練用シミュレータ装置の動作を説明するためのフローチャートである。
【図５】この発明に係る運転訓練用シミュレータ装置の実施の形態３を示すブロック図である。
【図６】実施の形態３の運転訓練用シミュレータ装置の動作を説明するフローチャートである。
【図７】この発明に係る運転訓練用シミュレータ装置の実施の形態４を示すブロック図である。
【図８】実施の形態４の運転訓練用シミュレータ装置の動作を説明するフローチャートである。
【符号の説明】
【００４２】
１  インストラクタコンソール、２  インストラクタタイプライタ、
３  オペレータコンソール、４  操作盤、５  オペレータタイプライタ、
６  シミュレーション処理部、７  シミュレーション運用制御部、
８  プラント操作入力処理部、９  プラント操作出力処理部、
１０  プラント状態変化検出部、１１  プラント時系列データ入力部、
１２  データ変換部、１３  シミュレーション結果検証部、
１４  データ重ね合わせ処理部。
【図１】
2006349990.tif 000003
【図２】
2006349990.tif 000004
【図３】
2006349990.tif 000005
【図４】
2006349990.tif 000006
【図５】
2006349990.tif 000007
【図６】
2006349990.tif 000008
【図７】
2006349990.tif 000009
【図８】
2006349990.tif 000010